(57)【要約】【課題】  ネットワークが異常切断された場合の、ユーザの利便性を向上させる技術を提供する。【解決手段】  ネットワークを介して、画像表示装置に、連続する画像データを順次転送する画像転送装置であって、画像データを記憶することが可能な記憶部と、制御部と、を備え、制御部は、ネットワークの接続中は、画像データを、順次画像表示装置に送信させ、ネットワークの異常切断を検知すると、その後、続きの画像データを、順次、記憶部に記憶させると共に、ネットワークの回復を検知すると、記憶部に記憶された画像データを、順次、画像表示装置に転送させることを特徴とする画像転送装置。【選択図】図５
2009194688.tif 000002
【特許請求の範囲】
【請求項１】
ネットワークを介して、画像表示装置に、連続する画像データを順次転送する画像転送装置であって、
前記画像データを記憶することが可能な記憶部と、
制御部と、
を備え、
前記制御部は、
前記ネットワークの接続中は、前記画像データを、順次前記画像表示装置に送信させ、前記ネットワークの異常切断を検知すると、その後、続きの前記画像データを、順次、前記記憶部に記憶させると共に、前記ネットワークの回復を検知すると、前記記憶部に記憶された前記画像データを、順次、前記画像表示装置に転送させることを特徴とする画像転送装置。
【請求項２】
ネットワークを介して画像転送装置から転送される画像データに基づいて、画像を表示させる画像表示装置であって、
画像表示制御部を備え、
前記画像表示制御部は、
前記ネットワークの接続中は、受信した前記画像データに基づいて画像を順次表示させると共に、前記ネットワークの異常切断を検知すると、検知した際に表示されている画像を、前記ネットワークが回復するまで表示させることを特徴とする画像表示装置。
【請求項３】
画像転送装置と画像表示装置とを備え、前記画像転送装置からネットワークを介して転送される画像データに基づいて前記画像表示装置が画像を表示させる、画像表示システムであって、
前記画像転送装置は、
前記画像データを記憶することが可能な記憶部と、
制御部と、
を備え、
前記制御部は、
前記ネットワークの接続中は、連続する画像データを、順次前記画像表示装置に転送させ、前記ネットワークの異常切断を検知すると、その後、続きの前記画像データを、順次、前記記憶部に記憶させると共に、前記ネットワークの回復を検知すると、前記記憶部に記憶された前記画像データを、順次、前記画像表示装置に送信させると共に、
前記画像表示装置は、
画像表示制御部を備え、
前記画像表示制御部は、
前記ネットワークの接続中は、受信した前記画像データに基づいて画像を順次表示させると共に、前記ネットワークの異常切断を検知すると、検知した際に表示されている画像を、前記ネットワークが回復するまで表示させることを特徴とする画像表示システム。
【請求項４】
画像転送装置において、ネットワークを介して、画像表示装置に、連続する画像データを順次転送させる方法であって、
（ａ）前記画像データを、前記ネットワークを介して前記画像表示装置に順次転送させる工程と、
（ｂ）前記ネットワークの状態を検知する工程と、
（ｃ）前記工程（ｂ）において、前記ネットワークの異常切断を検知した場合には、その後、続きの前記画像データを前記画像転送装置の備える記憶部に、順次記憶させる工程と、
（ｄ）前記工程（ｂ）において、前記ネットワークの回復を検知した場合には、前記記憶部に記憶された前記画像データを、順次、前記画像表示装置に転送させる工程と、
を、備えることを特徴とする画像データの転送方法。
【請求項５】
ネットワークに接続される画像表示装置において画像を表示させる方法であって、
（ａ）前記ネットワークを介して受信した前記画像データに基づいて画像を表示させる工程と、
（ｂ）前記ネットワークの状態を検知する工程と、
（ｃ）前記工程（ｂ）において、前記ネットワークの異常切断を検知した場合には、検知した際に表示させていた画像を、前記ネットワークの回復を検知するまで表示させる工程と、
を備えることを特徴とする画像表示方法。
【請求項６】
コンピュータプログラムであって、
ネットワークを介して、画像表示装置に接続される画像転送装置に、
連続する画像データを、前記ネットワークを介して前記画像表示装置に順次転送させる機能と、
前記ネットワークの状態を検知する機能と、
前記ネットワークの異常切断を検知した場合には、その後、続きの前記画像データを前記画像転送装置の備える記憶部に、順次記憶させる機能と、
前記ネットワークの回復を検知した場合には、前記記憶部に記憶された前記画像データを、順次、前記画像表示装置に転送させる機能と、
を実現させるためのコンピュータプログラム。
【発明の詳細な説明】
【技術分野】
【０００１】
本発明は、ネットワークを介して接続される画像転送装置および画像表示装置に関する。
【背景技術】
【０００２】
プロジェクタにおいて、無線ネットワークを介してパーソナルコンピュータ（以下、ＰＣと省略する。）から転送される画像データに基づいて、画像を表示させる場合がある。例えば、ＰＣにおいて、ディスプレイに表示される動画像をキャプチャ処理して、そのキャプチャデータを、連続してプロジェクタに転送すると、プロジェクタにおいて、受信したキャプチャデータに基づく画像が生成されて、表示画面(例えば、スクリーン)に、ＰＣのディスプレイに表示される動画像と同一の動画像が、表示される。
【０００３】
【特許文献１】特開２００２−２３２７０６号公報
【特許文献２】特開２００５−３５４６３９号公報
【発明の開示】
【発明が解決しようとする課題】
【０００４】
しかしながら、従来のプロジェクタでは、連続する画像データ（動画像データ）を転送している最中に、無線ネットワークが、異常切断されると、ＰＣからのキャプチャデータが届かなくなり、表示すべき画像がなくなるため、表示画面を初期状態に戻し、例えば、ロゴマークを表示することになる。
【０００５】
無線ネットワークが切断されている間も、ＰＣでは、続けて動画像がディスプレイに表示されると共に、キャプチャ処理をしてＰＣから送出している。しかしながら、無線ネットワークの切断中は、そのキャプチャデータは、プロジェクタに届かず、また、ＰＣ内にも残らない。そのため、再度、無線ネットワークが接続されたとき、プロジェクタによって表示される画像は、無線ネットワークが異常切断された時の続きではなく、無線ネットワーク異常切断時から回復時までにＰＣにて表示された画像が抜けた、先に進んだ画像になってしまう。
【０００６】
そのため、無線ネットワークが回復した後に、無線ネットワーク異常切断時の続きから、プロジェクタで表示させるためには、ユーザが、ＰＣを操作して、無線ネットワーク異常切断時の画像を探して、続きから画像データを転送させる等の作業をする必要が生じるため、ユーザは、不便に感じる場合がある。
【０００７】
なお、このような問題は、無線ネットワークを介して画像データを転送して表示させる場合に限らず、有線ネットワークを介して画像データを転送する場合にも共通する問題であった。また、ＰＣとプロジェクタ間の通信に限られず、ＰＣとＰＣ間等、画像を送受信する種々の送受信機間に共通する問題であった。
【０００８】
そこで、本発明は、ネットワークが異常切断された場合の、ユーザの利便性を向上させる技術を提供することを目的とする。
【課題を解決するための手段】
【０００９】
本発明は、上述の課題の少なくとも一部を解決するためになされたものであり、以下の形態又は適用例として実現することが可能である。
【００１０】
［適用例１］  ネットワークを介して、画像表示装置に、連続する画像データを順次転送する画像転送装置であって、
前記画像データを記憶することが可能な記憶部と、
制御部と、
を備え、
前記制御部は、
前記ネットワークの接続中は、前記画像データを、順次前記画像表示装置に送信させ、前記ネットワークの異常切断を検知すると、その後、続きの前記画像データを、順次、前記記憶部に記憶させると共に、前記ネットワークの回復を検知すると、前記記憶部に記憶された前記画像データを、順次、前記画像表示装置に転送させることを特徴とする画像転送装置。
【００１１】
このようにすると、画像転送装置において、連続した画像データを、画像表示装置に、順次転送している途中に、ネットワークの異常切断が生じた場合でも、ネットワークの回復時に、画像転送装置において、ネットワークの異常切断時の続きの画像データを、画像表示装置に転送することができるため、画像表示装置において、ネットワークの異常切断時の続きの画像を表示させることができる。
【００１２】
したがって、ユーザは、ネットワークが回復した後に、ネットワーク異常切断時の続きからプロジェクタで表示させるために、画像転送装置を操作して、ネットワーク異常切断時の画像を探して、続きから画像データを転送させる等の作業をする必要がなくなり、ユーザの利便性が向上する。なお、異常切断とは、ネットワークの接続中に、ユーザの指示によってネットワークが切断されるのではなく、外部要因等によってネットワークが切断される状態をいう。
【００１３】
［適用例２］  ネットワークを介して画像転送装置から転送される画像データに基づいて、画像を表示させる画像表示装置であって、
画像表示制御部を備え、
前記画像表示制御部は、
前記ネットワークの接続中は、受信した前記画像データに基づいて画像を順次表示させると共に、前記ネットワークの異常切断を検知すると、検知した際に表示されている画像を、前記ネットワークが回復するまで表示させることを特徴とする画像表示装置。
【００１４】
このようにすると、画像表示装置が、画像データを連続して受信して、順次表示させている途中で、ネットワークの異常切断が生じると、画像表示装置は、ネットワークが異常切断された際に表示されていた画像を、ネットワークの回復時まで、表示させる。そうすると、例えば、ネットワークが異常切断されたときに、表示画像が初期状態（例えば、ロゴマークが表示される）に戻ってしまう場合と比べると、ネットワークが回復して、再び、受信した画像データに基づいて画像を表示させる場合に、ユーザが感じる違和感を軽減させることができる。
【００１５】
なお、本発明は、上記した画像転送装置、画像表示装置の態様に限ることなく、その画像転送装置および画像表示装置を備える画像表示システム、画像データの転送方法、画像表示方法、コンピュータプログラムとしての態様など、種々の態様で実現することも可能である。
【発明を実施するための最良の形態】
【００１６】
以下、本発明を実施するための最良の形態を、実施例に基づいて、以下の順序で説明する。
Ａ．実施例：
Ａ−１．実施例の構成：
Ａ−２．実施例の動作：
Ａ−３．実施例の効果
Ｂ．変形例：
【００１７】
Ａ．実施例：
Ａ−１．実施例の構成
図１は、本発明の画像表示システム１０００の概念を示す概念図である。図示するように、画像表示システム１０００は、画像転送装置としてのＰＣ１００と、画像表示装置としてのプロジェクタ２００と、を備える。ＰＣ１００と、プロジェクタ２００とは、無線ネットワークを介して、ピアツーピア接続されている。ＰＣ１００は、ディスプレイ１１２に表示される表示画面をキャプチャして、画像データとして、無線ネットワークを介して、プロジェクタ２００に転送する。以下、表示画面をキャプチャした画像データを、キャプチャデータ３００という。プロジェクタ２００は、無線ネットワークを介して受信したキャプチャデータ３００に基づいて、画像を生成して、スクリーン２５０に画像を投写させる。
【００１８】
本実施例において、ＰＣ１００は、所定のプレゼンテーションソフトウェア（例えば、マイクロソフト社のＰｏｗｅｒ  Ｐｏｉｎｔ(登録商標)）を実行して、一連の画像を、順次、ディスプレイ１１２に表示させる（一般に、スライドショーと言われる。）。それと同時に、表示画像をキャプチャして、キャプチャデータを、プロジェクタ２００に転送する。そのため、プロジェクタ２００は、ＰＣ１００の表示画面と同期して、一連の画像を、順次、スクリーン２５０に投写させることができる。本実施例において、スライドショーの表示画像をキャプチャして生成される連続するキャプチャデータが、請求項における連続する画像データに相当する。
【００１９】
図１では、ＰＣ１００において、ディスプレイ１１２に、第１〜５の画像(スライドショーの画像)が順次表示される場合を、例示している（第１〜５の画像は図示しない。）。ディスプレイ１１２に表示される第１の画像をキャプチャ処理したキャプチャデータ３０１を、番号１を付した円筒形で表示している。同様に、第２〜５の画像に対応するキャプチャデータ３０２〜３０５を、対応する番号を付して表示している。一方、プロジェクタ２００側で表示される画像については、キャプチャデータ３０１に基づく画像２５１に、番号１を付して表示し、同様に、キャプチャデータ３０２〜３０５に基づく画像２５２〜２５５についても、対応する番号を付して、表示している。すなわち、図１は、ＰＣ１００から、連続するキャプチャデータ３０１〜３０５が、順次送出され、プロジェクタ２００が、受信したキャプチャデータに基づいて、連続する画像２５１〜２５５を、順次表示させる様子を、概念的に示している。
【００２０】
図２は、ＰＣ１００の概略構成を示すブロック図である。ＰＣ１００は、ＣＰＵ１０２と、メモリ１０４と、通信部１０８と、入力部１１０と、ディスプレイ１１２と、を主に備え、これらは、バスで接続されている。ＣＰＵ１０２は、メモリ１０４に格納されたコンピュータプログラムに従って種々の処理や制御を行う。例えば、メモリ１０４に格納されたアプリケーションプログラム（Ｐｏｗｅｒ  Ｐｏｉｎｔ）に従って、スライドショー形式で、画像を表示させる処理を行う。
【００２１】
メモリ１０４は、ＲＯＭやＲＡＭから成り、上記コンピュータプログラムや、処理中に得られたデータ等が記憶される。また、後述するように、無線ネットワークが異常切断された場合には、キャプチャデータ３００が記憶される。
【００２２】
通信部１０８は、無線ＬＡＮカードから成り、プロジェクタ２００の備える通信部２０８と、無線ネットワークを介して直接通信することができる。本実施例において、上記したように、通信部１０８は、キャプチャデータ３００を、プロジェクタ２００に対して送出するが、その他、ＭＰＥＧ形式の動画像データ、ＪＰＥＧ形式の写真データ等、種々のデータを送出することができる。
【００２３】
入力部１１０は、キーボードやポインティングデバイスなどから成り、ユーザからの指示などを入力する。ディスプレイ１１２は、液晶ディスプレイから成り、画像などを表示する。なお、本実施例におけるＣＰＵ１０２が、請求項における制御部に、メモリ１０４が、請求項における記憶部に、それぞれ、相当する。
【００２４】
図３は、プロジェクタ２００の概略構成を示すブロック図である。プロジェクタ２００は、ＣＰＵ２０２と、メモリ２０４と、画像処理部２０６と、通信部１０８と、光源ランプ２２０と、液晶パネル２２２と、投写光学系２２４と、を備える。ＣＰＵ２０２と、メモリ２０４と、画像処理部２０６と、通信部１０８とは、バスで接続されている。プロジェクタ２００には、さらに、プロジェクタ２００本体に設けられるボタンや、リモコンなどを含む操作部（図示しない）が設けられている。ユーザは、操作部を操作することによって、プロジェクタ２００に関する種々の設定を行うことができる。なお、本実施例におけるＣＰＵ２０２が、請求項における画像表示制御部に相当する。
【００２５】
ＣＰＵ２０２は、メモリ２０４に格納されたコンピュータプログラムに従って種々の処理や制御を行う。通信部２０８は、無線ネットワークを介して、ＰＣ１００から転送されるキャプチャデータを受信する。画像処理部２０６は、通信部２０８を介して受信したキャプチャデータに対して画像処理を施して、処理済み画像データを、液晶パネル２２２に供給する。なお、画像処理部２０６は、例えば、外部接続用コネクタ(図示しない)に接続されたＰＣ、ＤＶＤプレイヤー、外部メモリ等、外部から与えられた画像データに対しても、同様に、画像処理を施す。
【００２６】
液晶パネル２２２は、画像処理部２０６から与えられる画像データを用いて、光源ランプ２２０から射出された光を変調し、画像を表す光を射出する。投写光学系２２４は、液晶パネル２２２から射出された光をスクリーン２５０上に投写し、この結果、スクリーン上に画像が表示される。
【００２７】
Ａ−２．実施例の動作：
図４は、本実施例の画像表示システム１０００の動作を示すフローチャートである。図５は、本実施例の画像表示システム１０００の動作を概念的に示す説明図である。図５では、説明を明瞭にするために、無線ネットワークが異常切断される前後の連続する５つのキャプチャデータを図示している。
【００２８】
本実施例では、画像表示システム１０００において、ＰＣ１００から無線ネットワークを介して転送されるキャプチャデータ３００に基づいて、プロジェクタ２００が画像をスクリーン２５０に投写させている最中に、無線ネットワークが異常切断された場合の、画像表示システム１０００の動作を説明する。
【００２９】
まず、ユーザが、ＰＣ１００、およびプロジェクタ２００を起動し、ＰＣ１００の入力部１１０を操作して、プロジェクタ専用のアプリケーションを起動すると、ＰＣ１００のＣＰＵ２０２は、メモリ１０４に格納されているプロジェクタドライバプログラムを実行する。ＰＣ１００とプロジェクタ２００とは、互いにネゴシエーションをして、無線ネットワークを介する接続が確立される。
【００３０】
続いて、ユーザが、入力部１１０を操作して、アプリケーション（Ｐｏｗｅｒ  Ｐｏｉｎｔ）を起動して、スライドショーを表示する指示を入力すると、ＰＣ１００のＣＰＵ２０２は、メモリ１０４に格納されているアプリケーションプログラムを実行して、スライドショーをディスプレイ１１２に表示させる。
【００３１】
ＰＣ１００のＣＰＵ１０２は、スライドショーの画面の切替に同期して、表示画面をキャプチャ処理して（ステップＵ１０２）、キャプチャデータ３００を、無線ネットワークを介して、プロジェクタ２００に転送する（ステップＵ１０４）。プロジェクタ２００の通信部２０８が、キャプチャデータを受信すると(ステップＳ１０２)、ＣＰＵ２０２は、画像処理部２０６に、画像処理の指示をする。
【００３２】
画像処理部２０６は、受信したキャプチャデータに対して、種々の画像処理を施して、処理済み画像データを、液晶パネル２２２に供給する。投写光学系２２４は、処理済み画像データに基づいて変調され、液晶パネル２２２から射出された光をスクリーン２５０上に投写する。この結果、ＰＣ１００のディスプレイ１１２に表示される表示画面と同一の画像が、スクリーン２５０上に表示される（ステップＳ１０４）。
【００３３】
ＣＰＵ１０２とＣＰＵ２０２は、それぞれ、通信部１０８、２０８を介して、常時、無線ネットワークの接続（ユーザの指示による接続、異常切断後の回復を含む）、切断（ユーザの指示による切断、異常切断を含む）を含む、無線ネットワークの状態を検知している。ＰＣ１００において、ＣＰＵ１０２が、無線ネットワークの接続を検知している間は（ステップＵ１０６においてＮｏ）、ＣＰＵ１０２は、ステップＵ１０２〜１０４を繰り返す。一方、プロジェクタ２００において、ＣＰＵ２０２が、無線ネットワークの接続を検知している間は（ステップＳ１０６においてＮｏ）、ＣＰＵ２０２は、ステップＳ１０２〜１０４を繰り返す。
【００３４】
ＰＣ１００側が、キャプチャデータを連続して、プロジェクタ２００に転送している途中で、外的要因により、無線ネットワークが異常切断されると（図５（ａ））、ＰＣ１００のＣＰＵ１０２は、通信部１０８を介して、無線ネットワークの異常切断を、検知する(ステップＵ１０６においてＹｅｓ)。同様に、プロジェクタ２００のＣＰＵ２０２は、通信部２０８を介して無線ネットワークの異常切断を、検知する(ステップＳ１０６においてＹｅｓ)。
【００３５】
図５（ａ）に示すように、無線ネットワークが異常切断されるまでに、キャプチャデータ３０１、３０２が、順次転送されている。そして、プロジェクタ２００では、キャプチャデータ３０１、３０２に基づいて、画像２５１、２５２が順次、表示されている。
【００３６】
ＰＣ１００において、ＣＰＵ１０２は、無線ネットワークが異常切断された後も、続けて、上記のスライドショーを、ディスプレイ１１２に、表示させる。ＣＰＵ１０２は、無線ネットワークの異常切断を検知すると(ステップＵ１０６においてYes)、その後もそれまで通り、表示画面をキャプチャするものの（ステップＵ１０８）、図５（ｂ）に示すように、キャプチャデータ３００を、メモリ１０４のバッファメモリ(ＲＡＭ)に格納する（ステップＵ１１０）。以下、バッファメモリに格納することをバッファリングともいう。なお、図５（ｂ）に示すように、ＣＰＵ１０２は、無線ネットワークが異常切断される直前に転送されたキャプチャデータ３０２の続きのキャプチャデータ３０３から順に、順次、キャプチャデータ３０４、３０５をバッファリングしている。
【００３７】
一方、プロジェクタ２００において、ＣＰＵ２０２は、無線ネットワークの異常切断を検知すると（ステップＳ１０６においてYes）、そのとき、スクリーン２５０に投影されている画像を、そのまま、投影させ続ける(ステップＳ１０８)。プロジェクタ２００において、受信したキャプチャデータに対して、画像処理部２０６において画像処理を施した処理済データは、一時的に、メモリ２０４に格納されている。そのため、ＣＰＵ２０２は、メモリ２０４に格納されている、無線ネットワークが異常切断される直前に、受信したキャプチャデータ３０２に対応する処理済データを用いて、液晶パネル２２２に、画像を表す光を射出させる。そうすると、投写光学系２２４によって、スクリーン２５０に、画像２５２が表示される(図５（ｂ）)。
【００３８】
そして、図５（ｂ）に示すように、プロジェクタ２００のＣＰＵ２０２は、通信部２０８を介して、無線ネットワークの再接続処理を行う(ステップＳ１１０)。ＣＰＵ２０２は、無線ネットワークの接続が回復するまでは、無線ネットワークの接続を検知しないため（ステップＳ１１１において、Ｎｏ）、無線ネットワークの再接続処理（ステップＳ１１０）を、繰り返し行う。無線ネットワークの接続が回復すると、ＰＣ１００のＣＰＵ１０２は、通信部１０８を介して、通信の回復を検知し（ステップＵ１１１において、Ｙｅｓ）、バッファメモリに格納されているキャプチャデータ（以下、バッファリングデータともいう。）を、順次、プロジェクタ２００に転送する。すなわち、図５（ｃ）に示すように、無線ネットワークが異常切断されたときのキャプチャデータ３０２の続きのキャプチャデータ３０３から順に、キャプチャデータ３０４、３０５と、順次転送する。
【００３９】
無線ネットワークが回復した後も、スライドショーは、続けて、ディスプレイ１１２に表示される。ＣＰＵ１０２は、表示画面をキャプチャ処理して(ステップＵ１１４)、バッファリングすると共に（ステップＵ１１６）、バッファリングデータを、順次、プロジェクタ２００に転送する。なお、バッファリングデータは、プロジェクタ２００に対して転送された後、所定のタイミングで、順次、メモリ２０４から消去される。
【００４０】
プロジェクタ２００において、ＣＰＵ２０２は、通信部２０８を介して無線ネットワークの回復を検知すると（ステップＳ１１１において、Ｙｅｓ）、キャプチャデータを受信する（ステップＳ１１２）。そして、受信したキャプチャデータに基づいて、画像をスクリーン２５０に投写させる（ステップＳ１１４）。すなわち、図５（ｃ）に示すように、スクリーン２５０には、キャプチャデータ３０３に基づく画像２５３から順に、キャプチャデータ３０４に基づく画像２５４、キャプチャデータ３０５に基づく画像２５５と、順次表示される。
【００４１】
無線ネットワークが接続されている間、ＰＣ１００は、ステップＵ１１２〜１１４を繰り返し、同時に、プロジェクタ２００は、ステップＳ１１２〜１１４を繰り返す。これにより、スクリーン２５０には、画像が順次表示される。
【００４２】
Ａ−３．実施例の効果：
本実施例の画像表示システム１０００によれば、外的要因により、無線ネットワークが異常切断されても、スクリーン２５０には、無線ネットワークが異常切断された際に表示されている画像（図５における画像２５２）が表示される。そして、無線ネットワークが回復されると、無線ネットワークが異常切断されたときの続きの画像（図５における画像２５３、２５４、２５５）が、順次表示される。そのため、ユーザは、無線ネットワークが回復した後に、無線ネットワーク異常切断時の続きからプロジェクタで表示させるために、ＰＣを操作して、無線ネットワーク異常切断時の画像を探して、続きから画像データを転送させる等の作業をする必要がなくなり、ユーザの利便性が向上する。
【００４３】
また、プロジェクタ２００が、自動的に無線ネットワークの再接続処理を行うため、ユーザが、改めて、無線ネットワークの接続処理を行う必要がなくなり、ユーザの利便性が向上する。
【００４４】
Ｂ．変形例：
なお、本発明は上記した実施例に限られるものではなく、その要旨を逸脱しない範囲において種々の態様にて実施することが可能である。
【００４５】
（１）上記した実施例において、ＰＣ１００はスライドショーの表示画面をキャプチャ処理して、連続するキャプチャデータを、プロジェクタ２００に転送している場合を例示しているが、連続する画像データは、上記した実施例に限定されない。例えば、ＰＣ１００において、ＤＶＤを再生して画像を表示させ、その表示画面をキャプチャして連続する画像データとして転送してもよい。また、例えば、ＭＰＥＧ形式等の動画ファイルや、ＪＰＥＧ形式等の静止画（例えば、写真データ）を、連続して転送してもよい。
【００４６】
例えば、動画ファイルを無線ネットワークを介して、ＰＣ１００からプロジェクタ２００に転送する場合には、数珠繋ぎの動画ファイルを、所定の単位に分けて、その単位ごとに、順次、転送する。無線ネットワークが異常切断された場合には、その単位ごとに、バッファリングするようにすれば、上記した実施例と同様の効果を得ることができる。特に、動画ファイルを転送する場合には、無線ネットワークが異常切断された場合に、そのときプロジェクタ２００によってスクリーンに表示されていた画像がそのまま表示されると、画像が途切れたことによる違和感を軽減することができる。
【００４７】
さらに、例えば、映画等の動画ファイルをプロジェクタ２００に転送して表示させる場合には、ＰＣ１００において、無線ネットワークが異常切断されて以降の画像データを所定の間隔で間引いて転送するようにしてもよい。このようにすると、プロジェクタ２００側では、早送り再生したような動画像が表示される。通常、無線ネットワークが異常切断された後も、ＰＣ１００側では、続けて、動画ファイルが表示されているため、無線ネットワークが回復した後に、プロジェクタ２００側で、その続きから表示させるようにすると、ＰＣ１００の表示画面と、プロジェクタ２００の表示画像に、時間的なずれが生じる。しかしながら、上記したように、プロジェクタ２００において、早送り再生したような動画像が表示されるようにすると、無線ネットワークの回復後、所定の時間が経過すると、ＰＣ１００の表示画面に、プロジェクタ２００の表示画像が追いつくようになる。ＰＣ１００の表示画面に、プロジェクタ２００の表示画像が追いついたら、その後は、無線ネットワークが異常切断される前と同様に、動画ファイルを転送するようにすればよい。このようにすると、無線ネットワークが途中で異常切断されても、プロジェクタ２００によって表示される画像は、途切れず、再度、ＰＣ１００の表示画面と同期して、プロジェクタ２００によって動画像を表示させることができるようになる。
【００４８】
（２）上記した実施例において、画像転送装置としてＰＣ１００、画像表示装置としてプロジェクタ２００を用いているが、これに限定されず、画像表示装置として表示画面を備えるＰＣを用いてもよい。また、画像転送装置として、ハードディスクレコーダ等を用いて、画像表示装置として、テレビ等の受像機を用いてもよい。このようにしても、上記した実施例と同様の効果を得ることができる。
【００４９】
（３）上記した実施例において、ＰＣ１００とプロジェクタ２００とは、無線ネットワークを介して、ピアツーピア接続される場合を例に挙げて説明したが、ＰＣ１００とプロジェクタ２００とが、アクセスポイント（基地局）を介して接続される構成にしてもよい。また、有線ネットワークで接続される構成にしてもよい。このようにしても、上記した実施例と同様の効果を得ることができる。
【００５０】
（４）上記した実施例では、無線ネットワークの異常切断を検知した後、プロジェクタ２００において、無線ネットワークの再接続処理を行う構成にしているが、ＰＣ１００において再接続処理を行うような構成にしてもよい。また、自動で再接続処理を行っているが、ユーザが手動で再接続処理を行なうような構成にしてもよい。
【図面の簡単な説明】
【００５１】
【図１】本発明の画像表示システム１０００の概念を示す概念図である。
【図２】ＰＣ１００の概略構成を示すブロック図である。
【図３】プロジェクタ２００の概略構成を示すブロック図である。
【図４】本実施例の画像表示システム１０００の動作を示すフローチャートである。
【図５】本実施例の画像表示システム１０００の動作を概念的に示す説明図である。
【符号の説明】
【００５２】
１００…ＰＣ
１０２…ＣＰＵ
１０４…メモリ
１０８…通信部
１１０…入力部
１１２…ディスプレイ
２００…プロジェクタ
２０２…ＣＰＵ
２０４…メモリ
２０６…画像処理部
２０８…通信部
２２０…光源ランプ
２２２…液晶パネル
２２４…投写光学系
２５０…スクリーン
２５１、２５２、２５３、２５４、２５５…画像
３００、３０１、３０２、３０３、３０４、３０５…キャプチャデータ
１０００…画像表示システム
【図１】
2009194688.tif 000003
【図２】
2009194688.tif 000004
【図３】
2009194688.tif 000005
【図４】
2009194688.tif 000006
【図５】
2009194688.tif 000007